(57)【要約】      （修正有）【課題】簡単な構成で外部から不正に開閉部材を開けようとしても開閉部材が開くことがなく、確実に不正行為を防止することができる可変入賞装置及びそれを用いた遊技機を提供する。【解決手段】開閉部材１９が作動部材２３を介して電気的駆動源２２の駆動力により開閉する可変入賞装置１２であって、開閉部材１９の裏面側に位置して作動部材２３と連係する操作部３１を開閉部材１９の支軸と偏心して設け、作動部材２３に電気的駆動源２２の非駆動時において操作部３１に対し所定ストローク単独で可動し得る間隙Ｃ２を存して係合部３４を設けると共に電気的駆動源２２が非駆動状態で操作部３１の回転軌道上に操作部３１の回動を阻止するストッパー３５を設け、電気的駆動源２２の駆動時に作動部材２３の所定ストロークの単独運動でストッパー３５が操作部３１の回転軌道上から離脱した後に操作部３１を回動させ、開閉部材１９を開放するようにした。【選択図】図４
2008301905.tif 000002
【特許請求の範囲】
【請求項１】
回動自在に設けられる開閉部材が作動部材を介して電気的駆動源の駆動力により開閉する可変入賞装置であって、
前記開閉部材の裏面側に前記作動部材と連係する操作部を前記開閉部材の支軸と偏心して設け、
前記作動部材に前記電気的駆動源の非駆動時において前記操作部に対し所定ストローク単独で可動し得る間隙を存して係合する係合部を設けると共に前記電気的駆動源が非駆動状態で前記操作部の回転軌道上に位置して該操作部の回動を阻止するストッパーを設け、
前記電気的駆動源の駆動時に前記作動部材の所定ストロークの単独運動で前記ストッパーが操作部の回転軌道上から離脱した後に該操作部を回動させ、前記開閉部材を開放するようにしたことを特徴とする可変入賞装置。
【請求項２】
前記開閉部材を常に閉方向に付勢する付勢手段を設けたことを特徴とする請求項１記載の可変入賞装置。
【請求項３】
回動自在に設けられる開閉部材が作動部材を介して電気的駆動源の駆動力により開閉する可変入賞装置であって、
前記開閉部材の裏面側に前記作動部材と連係する操作部を前記開閉部材の支軸と偏心して設け、
前記作動部材は前記操作部に係合する係合部を所定の空隙を存して設けると共に、該係合部に前記電気的駆動源が非駆動状態で前記操作部の回転軌道上に位置して該操作部の回動を阻止するストッパーを設け、
前記作動部材の移動を規制する規制手段を設けると共に該規制手段に前記係合部の空隙間に位置して前記ストッパーへの押圧による移動により係合する補助ストッパーを設け、
前記電気的駆動源の非駆動時に前記開閉部材を開放する外的操作力が働いた際に、前記ストッパーで前記操作部の回動を阻止すると共に前記係合部が前記補助ストッパーに係合することで前記作動部材の昇降運動を阻止し、前記電気的駆動源の駆動時に前記作動部材を作動させ前記ストッパーが前記操作部の回転軌道上から離脱した後に該操作部を回動させ、前記開閉部材を開放するようにしたことを特徴とする可変入賞装置。
【請求項４】
前記開閉部材の開状態時の操作部の停止位置と閉状態時の操作部の停止位置は、前記支軸からの水平方向への距離が開状態時の操作部の停止位置の方が閉状態時の操作部の停止位置より離間するように設定したことを特徴とする請求項１又は３記載の可変入賞装置。
【請求項５】
請求項１乃至４のいずれかに記載の可変入賞装置を備えたことを特徴とする遊技機。
【発明の詳細な説明】
【技術分野】
【０００１】
本発明は、可変入賞装置及びそれを用いた遊技機に関し、特に回動可能に設けられる開閉部材を外部操作によって開いて不当に賞球を獲得する不正行為を防止するための防犯機構を備えた可変入賞装置及びそれを用いた遊技機に関する。
【背景技術】
【０００２】
従来、パチンコ遊技機、アレパチ機等の弾球遊技機を含む種々の遊技機に設けられる可変入賞装置として、開閉翼片を球受入口の両側に開閉自由に軸支してソレノイド等の電気的駆動源でこの開閉翼片を起立して打球を入り難くしたり、開閉翼片を傾倒して打球を入り易くしたりするものがある（例えば、特許文献１参照。）。
【０００３】
前記可変入賞装置は、ソレノイドが作動していないときに、外部からピアノ線やセル板等の不正道具を遊技盤前面とガラス板との間に侵入させて開閉翼片に引掛けて、開閉翼片を無理矢理に開放できる構造である。そのため、不当に賞球を獲得する不正行為が多発したことから、外部から可変入賞装置の可動翼片を開けようとしても可動翼片が開かず不正行為を防止することができる可変入賞装置が提案されている（例えば、特許文献２参照。）。
【０００４】
【特許文献１】特許第２７７９９２０号公報
【特許文献２】実開平１−９０５９２号公報
【発明の開示】
【発明が解決しようとする課題】
【０００５】
しかしながら、特許文献の可変入賞装置は、連結杆の側端部とクランク部材に設けた係止片を当接させ外力による回動を防止するものの、ソレノイドの励磁により連結杆とクランク部材が同時に回動する構造であるため回動を防止する箇所は一点のみであり、ロックが外れ易く、しかもこじれや摩耗を生じやすい。さらに、連結杆とクランク部材の回動方向が同じであるため、無理に開放しようとすると簡単にロックが外れ、確実なロック効果を期待できないという問題があった。
【０００６】
本発明は、上記課題を解決するためになされたものであり、簡単な構成で外部から不正に開閉部材を開けようとしても開閉部材が開くことがなく、確実に不正行為を防止することができる可変入賞装置及びそれを用いた遊技機を提供することを目的としている。
【課題を解決するための手段】
【０００７】
上記目的を達成するために、請求項１に記載の発明は、回動自在に設けられる開閉部材が作動部材を介して電気的駆動源の駆動力により開閉する可変入賞装置であって、前記開閉部材の裏面側に前記作動部材と連係する操作部を前記開閉部材の支軸と偏心して設け、前記作動部材に前記電気的駆動源の非駆動時において前記操作部に対し所定ストローク単独で可動し得る間隙を存して係合する係合部を設けると共に前記電気的駆動源が非駆動状態で前記操作部の回転軌道上に位置して該操作部の回動を阻止するストッパーを設け、前記電気的駆動源の駆動時に前記作動部材の所定ストロークの単独運動で前記ストッパーが操作部の回転軌道上から離脱した後に該操作部を回動させ、前記開閉部材を開放するようにしたことを特徴とする。ここでいう「電気的駆動源」とは電気的信号を受けて可動体を操作するアクチュエータの総称であり、例えばモータ及びソレノイド等が電気的駆動源に相当する。
【０００８】
上記構成により、電気的駆動源の非駆動状態で開閉部材が閉状態にあるとき、ストッパーは、操作部の回転動作をロックして開閉部材の開方向への回動を阻止している。そして、電気的駆動源が駆動して作動部材が間隙分可動すると、ストッパーが所定位置まで移動して操作部の回転軌道上から離脱することにより操作部との干渉が回避されて操作部の回動阻止を解除し、その後作動部材が操作部に接触係合して開閉部材を回動させる。言い換えれば、開閉部材は電気的駆動源の駆動力でのみ回動させることができる。このように構成することにより、電気的駆動源の非駆動状態で開閉部材に開方向の無用な作用力が働いたとしても、操作部がストッパーに衝止して開閉部材が開放することがない。
【０００９】
請求項２に記載の発明は、請求項１記載の発明において、前記開閉部材を常に閉方向に付勢する付勢手段を設けたことを特徴とし、開閉部材の誤作動による開放をし難くしている。前記付勢手段は、例えば前記開閉部材の重心位置を重錘等により該開閉部材が常に閉方向に付勢される位置に設定すればよく、前記操作部を前記支軸より内側に位置して設けるのが好ましい。さらに、付勢手段として直接開閉部材を閉方向に付勢するスプリング，ゴム等の弾性部材を設けるようにしてもよい。
【００１０】
請求項３に記載の発明は、回動自在に設けられる開閉部材が作動部材を介して電気的駆動源の駆動力により開閉する可変入賞装置であって、前記開閉部材の裏面側に前記作動部材と連係する操作部を前記開閉部材の支軸と偏心して設け、前記作動部材は前記操作部に係合する係合部を所定の空隙を存して設けると共に、該係合部に前記電気的駆動源が非駆動状態で前記操作部の回転軌道上に位置して該操作部の回動を阻止するストッパーを設け、前記作動部材の移動を規制する規制手段を設けると共に該規制手段に前記係合部の空隙間に位置して前記ストッパーへの押圧による移動により係合する補助ストッパーを設け、前記電気的駆動源の非駆動時に前記開閉部材を開放する外的操作力が働いた際に、前記ストッパーで前記操作部の回動を阻止すると共に前記係合部が前記補助ストッパーに係合することで前記作動部材の昇降運動を阻止し、前記電気的駆動源の駆動時に前記作動部材を作動させ前記ストッパーが操作部の回転軌道上から離脱した後に該操作部を回動させ、前記開閉部材を開放するようにしたことを特徴とする。例えば、開閉部材間に入賞した遊技球が通る通路部を規制手段として作動部材の係合部間に臨ませると共に、該規制手段に係合部の空隙間に位置してストッパーへの押圧による撓み等の移動により係合する補助ストッパーを設け、前記電気的駆動源の非駆動時に開閉部材を開放する外的操作力が働いた際に、ストッパーで操作部の回動を阻止すると共に係合部が補助ストッパーに係合することで作動部材の昇降運動が阻止され、開閉部材の開放を確実に阻止することができる。
【００１１】
請求項４に記載の発明は、請求項１又は３記載の発明において、前記開閉部材の開状態時の操作部の停止位置と閉状態時の操作部の停止位置は、前記支軸からの水平方向への距離が開状態時の操作部の停止位置の方が閉状態時の操作部の停止位置より離間するように設定したことを特徴とする。この構成により、開閉部材の開状態時に操作部がストッパーの下面に臨むようになり、作動部材の復動時にストッパーの下面で操作部を押圧することになる。
【００１２】
請求項５に記載の発明は、請求項１乃至４のいずれかに記載の可変入賞装置を遊技機に備えたことを特徴とし、興趣に富みゲーム性の高い遊技機を実現することができるようになる。
【００１３】
また、前記ストッパーに阻止面を形成すると共に前記操作部に該阻止面と面接触し得る平坦面を形成するのが好ましい。これにより、電気的駆動源の非駆動時に操作部の平坦面がストッパーと面接触した状態で作動部材の可動方向と異なる方向に作用力が働くため、作動部材を誤動作させることはなく、ロック効果が確実なものとなる。
【００１４】
前記係合部は側面視コ字状をなし、該係合部に前記ストッパーを設け、前記係合部の間隔は前記作動部材が所定ストローク可動して前記ストッパーが操作部の回転軌道上から離脱した後に前記操作部と接触する間隙を有して形成するのが好ましい。また、係合部を操作部の突出方向に貫通した係合孔としてもよい。
【００１５】
前記操作部が前記ストッパーを押圧した際に前記作動部材が押圧方向へ移動するのを防止する規制手段を設けるのが好ましい。
【発明の効果】
【００１６】
本発明による可変入賞装置によると、電気的駆動源が非駆動状態で外部からピアノ線やセル板等の不正道具を用いて開閉部材を開けようとしても開閉部材が開かないため、賞球を不当に獲得する不正行為を確実に防止することができる。
【００１７】
また、既成の作動部材に僅かな設計変更を加えるのみで対応でき、簡単な構成によって可変入賞装置の通常の作動を確保しつつ不正行為を防止することができるので、不正防止用の部材を新たに作成する必要がなく、コストの低減化を図ることができる。
【発明を実施するための最良の形態】
【００１８】
以下、本発明の実施形態を図面を参照し、遊技機としてパチンコ遊技機を例にして説明する。図１は、本発明に係る可変入賞装置を設けたパチンコ遊技機の正面図、図２は本発明に係る可変入賞装置の一部切欠いて示す裏面斜視図であり、図３は可変入賞装置の分解斜視図である。パチンコ遊技機１００は、遊技場の設置枠に取付けるための外枠１を備え、その外枠１の正面一側にヒンジ機構を介して内枠２が回動可能に設けられ、他側をロック機構によって開閉不能に施錠するようにしている。内枠２には、遊技盤４が装着されると共に、遊技盤４の正面を覆う透明板を備えた前面板６が回動可能に設けられている。また、前面板６の下方に位置する内枠２には遊技球を貯留し発射部に供給する供給皿７と余剰球を貯留する貯留皿８とが設けられている。そして、貯留皿８の右側に打球の弾発力を調節する操作ハンドル９が設けられている。
【００１９】
遊技盤４は、略方形状に形成され、所定の幅員を有する誘導部材により前面板６の透明板との間に略円形の遊技領域４ａが形成され、その略中央領域に可変表示装置１１を設けている。そして、その下方に可変表示装置１１の画像を変動させる始動入賞口として可変入賞装置１２が設けられ、さらにその下方に下部側の横軸心廻りに開閉する扉部材を開閉して多量の入賞を可能とする大入賞口１３が設けられている。また、可変表示装置１１の側方には検知スイッチ１４ａを備えた通過入賞口１４が設けられ、例えば通過入賞口１４の遊技球の通過を検知スイッチ１４ａが検知すると抽選が行われ、その結果が「当たり」等の所定条件で可変入賞装置１２が駆動するように設定される。遊技領域４ａの最下端には入賞球とならなかった遊技球がアウト球として流出するアウト口１５が設けられている。
【００２０】
可変入賞装置１２は、台板１６の上方に球受口１７が設けられると共にその下方に入賞球が通過する入賞開口１８が設けられ、入賞開口１８を挟んで左右一対の開閉部材１９が台板１６と直交する支軸２５に回動自在に設けられ、その開閉部材１９の下部を囲うように球受枠体２０が設けられている。そして、台板１６の後方に入賞開口１８に連通する通路部４７が形成されると共に通路部４７を囲うように支持枠体２１が設けられる。支持枠体２１には電気的駆動源として直線的に変位するソレノイド２２が設けられると共に、ソレノイド２２の駆動力を開閉部材１９に伝達する作動部材２３が設けられる。作動部材２３はソレノイド２２の直線移動する動きを受けて、これを動きの異なる回転運動に変換した後、軸方向の異なる開閉部材１９に伝達し、開閉部材１９を回動させ開放するようにしている。
【００２１】
球受枠体２０は合成樹脂により前板部と底部とを有して形成され、前板部の前面に装飾シールを貼着する等して装飾効果を高めるようにしている。また、前板部の後方に開閉部材１９を回動自在に軸支する支軸２５が台板１６と略直交するように二本突設されると共に、開閉部材１９の開閉動を規制する規制突起２４ａ及び規制リブ２４ｂが設けられている。そして、底部には開閉部材１９間に入賞した入賞球を円滑に後方へ案内する誘導リブ２６が形成されている。
【００２２】
開閉部材１９は左右略対称の翼形状をしており、下方に前後方向に貫通する軸孔３０が開設され、軸孔３０に支軸２５が挿通されることにより各開閉部材１９はこの支軸２５を中心として回動するように、開閉部材１９間を遊技球が通過しうる間隔をもって装着される。また、開閉部材１９の前面下方内側に球受枠体２０に設けられた規制突起２４ａ及び規制リブ２４ｂに係止し開閉部材１９の開角度を決定する規制片２７が設けられている。実施例では規制片２７に重錘２８を埋設して、開閉部材１９の重心位置を支軸２５より内側に位置させ、開閉部材１９が常に閉方向に付勢する付勢手段としている。そして、図５に示すように開閉部材１９の裏面側に軸孔３０に対して内方でありかつ下方に偏心位置して、作動部材２３が係合する操作部として軸状の操作ピン３１が一体に突設されている。操作ピン３１は台板１６に開設した入賞開口１８と連通する透孔３２を介して作動部材２３に係合し、操作ピン３１の軌道は支軸２５を中心として内方に移動しながら上方に回動する円弧状となる。なお、重錘２８を埋設する代りに操作ピン３１を金属ピンとしてインサートし、重心位置を支軸２５より内側として開閉部材１９を常に閉方向に付勢する付勢手段としてもよい。また、付勢手段として直接開閉部材１９を閉方向に付勢するスプリング，ゴム等の弾性部材を設けるようにしてもよい。
【００２３】
作動部材２３は、開閉部材１９に対応する一対の側面視略Ｌ字状の側板を遊技球が通過可能な間隔に離間して水平軸部３７で連結して平面コ字状に形成されている。そして、側板の後方上部の内面に従動ピン３６が突設されると共にその下方外面に開閉部材１９の支軸２５方向と異なり台板１６と平行する回動ピン４２が突設される。側板の先端部には操作ピン３１に係合する係合部３４が空隙Ｃ１を存して側面視コ字状に形成され、この係合部３４の下側部位が、操作ピン３１を押し上げる駆動片３４ａを構成している。また、コ字状の係合部３４の空間巾は操作ピン３１を遊挿した状態で、操作ピン３１と駆動片３４ａとの間に所定間隙Ｃ２を有するように設定され、係合部３４の上部内側面に常態で操作ピン３１の回転軌道上の側方に位置し、操作ピン３１の回動を阻止するリブ壁状のストッパー３５が一体に設けられる。つまり、作動部材２３がその間隙Ｃ２のストロークだけ単独で上動することにより、ストッパー３５が操作ピン３１の回転軌道上から離脱するようにしている。ストッパー３５は操作ピン３１が当接する阻止面３５ａが垂直状に形成され、ストッパー３５の下面は操作部３１側に向う傾斜面に形成され、実施例において支軸２５に向かう上向きの傾斜面に形成されている。そして、支持枠体２１に回動ピン４２を軸支して、作動部材２３が回動自在に装着される。なお、ストッパー３５は作動部材２３と別体で形成し、作動部材２３の所定位置に一体的に設けるようにしてもよい。また、係合部３４を空隙Ｃ１を存した側面視コ字状に形成したが、係合部３４を操作ピン３１の突出方向（軸方向）に貫通した係合孔として形成すると共にこの係合孔の空隙Ｃ１内にストッパー３５を設けるようにすればよい。
【００２４】
ソレノイド２２は支持枠体２１に配置してビス５１により固着水平に配置され、スプリング４４を装着したプランジャ４５が前後方向に水平に進退動するようになっており、プランジャ４５の前端部にフランジにより連係部４６が形成されている。そして、この連係部４６に作動部材２３の従動ピン３６が収容保持されてソレノイド２２と作動部材２３が連係され、ソレノイド２２の駆動力が作動部材２３を介して開閉部材１９に伝達される。
【００２５】
上記構成の可変入賞装置１２の組立は、先ず球受枠体２０の支軸２５に開閉部材１９の軸孔３０を挿通して、台板１６に球受枠体２０をビス着する。そして、ソレノイド２２の連係部４６に作動部材２３の従動ピン３６が収容されるように装着した支持枠体２１を、作動部材２３の係合部３４が操作ピン３１と連係するように台板１６にビス着することで開閉部材１９が開閉自在に組み立てられる。
【００２６】
次に、上記のように組立てられた可変入賞装置１２の動作を説明する。ソレノイド２２が消磁して作動していない常態では、プランジャ４５は図６（イ）に示すようにスプリング４４の付勢により前進位置にあり、これに伴い作動部材２３が下向回動して駆動片３４ａは作動ピン３１から所定間隙Ｃ２離れた状態に保たれる。このとき、両開閉部材１９は図５（イ）に示すように自重により規制片２７が規制リブ２４ｂに係止して起立状態を保持し、遊技球を受け入れ難い閉状態にしている。また、ストッパー３５は操作ピン３１の側方に位置し、操作ピン３１の回転動作がストッパー３５の阻止面３５ａにより阻止されることにより開閉部材１９の無用な回転運動が阻止されている。なお、ソレノイド２２の非励磁状態において、操作ピン３１は係合部３４と非接触状態とし、しかも操作ピンとストッパーとの隙間より操作ピンと係合部との隙間の方が大きく設定するのが好ましい。つまり、ソレノイド２２の非励磁状態において開閉部材１９が回動しようとした場合には、操作ピン３１が先ずストッパー３５に接触するように位置設定するのがよい。
【００２７】
ソレノイド２２が励磁すると、プランジャ４５はスプリング４４の付勢に抗して後退し、作動部材２３は回動ピン４２を中心に上向き回動する。これに伴いストッパー３５が操作ピン３１から離間して所定位置まで移動すると、図５（ロ）及び図６（ロ）に示すように操作ピン３１の回転軌道上から離脱して回動阻止を解除する。そして、操作ピン３１がストッパー３５の回動阻止から解除されると、駆動片３４ａが操作ピン３１に当接係合して操作ピン３１を押し上げてゆき、図５（ハ）に示すように操作ピン３１は一旦ストッパー３５の下方に臨むように回動し、開閉部材１９は支軸２５を中心として開方向へ回動する。このとき、操作ピン３１の軌跡は支軸２５の中心を通る水平面に対して略対象であり、言い換えれば開閉部材１９の閉状態時の操作ピン３１の位置と開状態時の操作ピン３１の位置関係は、支軸２５からの仰角と俯角とが略同角度の位置関係にあり、互いに略同一鉛直線上に位置している。そして、図５（ニ）及び図６（ハ）に示すように規制片２７が規制突起２４ａに当接することで、開閉部材１９は全開状態となり遊技球が入賞し易くなる。なお、開閉部材１９が図５（ロ）〜（ニ）及び図６（ロ），（ハ）に示すように作動部材２３により回動し、閉状態から開状態になるまでの間において、操作ピン３１はストッパー３５より下方に位置することになり、ストッパー３５と干渉することはない。
【００２８】
その後、ソレノイド２２が消磁して作動を解除すると、プランジャ４５がスプリング４４の付勢により前進位置まで戻ると共に開閉部材１９が自重により図５（イ）に示す閉状態に復動する。
【００２９】
一方、図５（イ）に示す開閉部材１９の閉状態において、開閉部材１９の上端にピアノ線又はセル板等の不正道具を引掛けて、開閉部材１９を無理矢理に開けようとする強制操作力が加えられたとしても、操作ピン３１が支軸２５を中心として回動し始めようとするも、操作ピン３１がストッパー３５の阻止面３５ａに当接する。このため、操作ピン３１は開方向への動作が阻止され回動することができず、開閉部材１９が開放しないため遊技球を不正に入賞口へ入れることができない。
【００３０】
以上説明したように、本実施形態に係る可変入賞装置１２は、電気的駆動源の駆動力を伝達する作動部材２３に開閉部材１９の裏面側の操作ピン３１の回動を阻止するストッパー３５を設けたので、電気的駆動源が非駆動状態で開閉部材１９を開放しようとしても操作ピン３１がストッパー３５に衝止し、開閉部材１９の開方向への回動が阻止される。そして、電気的駆動源の駆動時にはストッパー３５の回動阻止を解除して開閉部材１９が開放される。つまり、電気的駆動源の駆動時にのみ開閉部材１９が開放される。
【００３１】
また、本実施形態に係る可変入賞装置１２は、既成の作動部材２３に僅かな設計変更を加えるのみで対応できるので、簡単な構成によって可変入賞装置１２の通常の作動を確保しつつ不正行為を防止することができる。そして、間隙Ｃ２の形成によりストッパー３５を操作ピンの変位経路から退避させることができ、開閉部材１９の回動開始の時間差を生じさせることができるため、装置構成は簡素化が図れ、装置の軽量化，コンパクト化等に寄与する。また、不正防止用の新たな金型等を作成する必要がなく、コストの低減化を図ることができる。
【００３２】
前記実施例では操作ピン３１の回動軌跡は支軸２５の中心を通る水平面に対して略対象としたが、開閉部材１９の閉状態時の操作ピン３１の停止位置と開状態時の操作ピン３１の停止位置との関係を、図７及び図８（イ）に示すように支軸２５からの俯角αを仰角βより大きくなるように設定して、開状態時の操作ピン３１の停止位置を閉状態時の操作ピン３１の停止位置よりストッパー３５側（図上内方側）に位置させ、ストッパー３５の下方に位置させている。言い換えれば、開閉部材１９の閉状態時と開状態時の操作ピン３１の停止位置において、操作ピン３１の中心を通る鉛直線がＸ軸方向にずれ、図８（ロ）に示すように支軸２５からの水平方向への距離Ｌ１，Ｌ２が開閉部材１９の開状態時の操作ピン３１の停止位置の方が支軸２５から離間する（Ｌ２＞Ｌ１）ように設定しており、図７（ロ）に示すように開状態時の操作ピン３１の停止位置の方が阻止面３５ａを延長した仮想面を跨いでストッパー３５の下面に臨み可変入賞装置１２の内方側に位置している。つまり、図８（ハ）に示すように一対の開閉部材１９の開状態時の操作ピン３１間の距離Ｌ３の方が、閉状態時の操作ピン３１間の距離Ｌ４より短い位置関係にある。したがって、開閉部材１９の開状態では操作ピン３１はストッパー３５の下面に臨むように位置しており、ソレノイド２２の消磁時には操作ピン３１がストッパー３５の下面により押し下げられて復動する。このため、開閉部材１９が自重により開方向に付勢されていても確実に閉状態に復動させることができる。また、開閉部材１９の閉状態時の操作ピン３１の停止位置と開状態時の操作ピン３１の停止位置との関係を支軸２５からの俯角αを仰角βとの関係により説明したが、互いに俯角の位置関係であっても、開状態時の操作ピン３１の停止位置が閉状態時の操作ピン３１の停止位置よりストッパー３５側（図上内方側）に位置するようにすればよい。
【００３３】
また、図９及び図１０に示すように作動部材２３間に臨んだ通路部４７の外側に、通路部４７と作動部材２３の係合部３４との間の僅かなクリアランス分の肉厚のリブ８５を設けている。このリブ８５は、図１０に示すように作動部材２３の常態時（ソレノイド２２の消磁時）にコ字状に形成した係合部３４の下係合部より上方に位置しており、コ字状の係合部３４の空隙Ｃ１内に位置している。そして、ソレノイド２２が励磁して作動部材２３が正常に作動した時には、係合部３４がリブ８５と接触することはないが、作動部材２３が上下動する際に、万一係合部３４がリブ８５に接触したとしてもスムーズに上下動するように、リブ８５の上下縁面は、約３０度の傾斜面に形成している。同様に係合部３４の通路部４７側下端も作動部材２３の復動時にリブ８５に接触したとしても確実に下動するようにテーパー面としている。この実施例において、開閉部材１９を開方向に操作する不正行為が行われると、操作ピン３１が阻止面３５ａに衝止してストッパー３５を内方に撓ませながら移動させ作動部材２３を上動させようとするが、図９鎖線に示すように係合部３４の下係合部が通路部４７の外側に当接すると共にリブ８５の下端に衝止係合して、それ以上作動部材２３が上動できない。このため、通路部４７は作動部材２３のソレノイド２２の駆動による正規の動き（回動ピン４２を支点とした揺動）以外の動き（回動ピン４２の軸線方向への移動）を規制する規制手段の役割をなし、リブ８５は作動部材２３の撓み等の移動により係合部３４が係合する補助ストッパーの役割をなし開閉部材１９の開動作を確実にロックすることができる。なお、実施例では通路部４７を作動部材２３の移動を規制する規制手段としたが、図１２に示すようにストッパー３５を作動部材２３の外側に設けた場合には、作動部材２３の外側に位置して撓み等による係合部３４の外方への移動を阻止する規制片を設け、その規制片に係合部３４の空隙Ｃ１内に位置する補助ストッパーを設けるようにすればよい。
【００３４】
また、ロック効果をさらに確実なものとするために、作動部材２３の軸支方向（実施例では左右方向）へのがたつきを極力少なくするのが好ましく、図１１に示すように台板１６に作動部材２３の係合部３４間に臨み、係合部３４の間隔を保持する保持枠５０を設けて操作ピン３１がストッパー３５を押圧した際に作動部材２３が押圧方向へ移動するのを防止する規制手段としている。つまり、電気的駆動源の非駆動時に、開閉部材１９に対して例え過剰な強制操作力が加えられてストッパー３５を無理やり押圧して作動部材２３を横方向にずらして開閉部材１９を回動させようとしても、規制手段としての保持枠５０が係合部３４間に臨んでいることから、係合部３４の間隔を保持して作動部材２３は動くことはなく、操作ピン３１のロック状態を確実に保持することができる。なお、規制手段を保持枠５０としたが、形状等に限定されるものではなく、係合部３４間に臨むリブ壁であってもよい。また、通路部４７により作動部材２３のがたつきを規制するようにしてもよく、例えば通路部４７の側面と作動部材２３の側板が点又は線接触によりがたつきを規制するようにそれぞれ又はいずれかに突起又はリブを設けるようにしてもよい。さらに、ストッパー３５が内方に撓もうとするのを防止するために、作動部材２３の水平軸部３７を係合部３４寄りに設けるようにしてもよい。
【００３５】
なお、実施例において操作ピン３１を開閉部材１９の支軸２５に対して内方でありかつ下方に偏心して設けたが、この実施例に限定されることなく、支軸２５に対して内外又は上下方向に任意で偏心して設けるようにしてもよい。この場合、作動部材２３に設けるストッパー３５は電気的駆動源の非駆動時において開閉部材１９の開方向への移動を阻止する側に設けられる。例えば図１２に示すように、操作ピン３１を支軸２５に対して外方でありかつ上方に偏心して設けた場合には、ストッパー３５は操作ピン３１の外方位置に設けて開閉部材１９の開動作の際に操作ピン３１が外方に回動するのを阻止するように設ければよい。また、図１３に示すように、操作ピン３１を支軸２５に対して外方でありかつ下方に偏心して設けた場合には、ストッパー３５は前記実施例と同様に操作ピン３１の内方位置に設けて内方回動を阻止すればよい。なお、操作ピン３１を支軸２５の内方に設けた場合と外方に設けた場合には、作動部材２３の可動方向を逆にする必要がある。つまり、図１２及び図１３に示したように操作ピン３１を支軸２５の外方に設けた場合には、ソレノイド２２の励磁によって作動部材２３の係合部３４を下動させることになり、駆動片３４ａが係合部３４の上方に位置する。
【００３６】
また、実施例において、操作部を円柱状の操作ピン３１としたが、図１４に示すように操作ピン３１にストッパー３５の阻止面３５ａと面接触し得る平坦面３１ａを形成するようにしてもよい。電気的駆動源の非駆動時に操作ピン３１の平坦面３１ａがストッパー３５の阻止面３５ａと面接触した状態で、操作ピン３１の押圧による作用力が作動部材２３の可動方向である上下方向と異なる横方向に働くため、作動部材２３を誤動作させることはなくロック効果が確実なものとなる。
【００３７】
また、実施例において支持枠体２１を一体ものとしたが、図１５に示すように支持枠体２１を第一支持枠部材２１１と第二支持枠部材２１２とに左右に分割形成してもよく、ソレノイド２２を第二支持枠部材２１２に止めビス５１により固定すると共に、第二支持枠部材２１２側からビス５２を第一支持枠部材２１１に突設した組付けボス５３に螺締めすることにより支持枠体２１を一体化するようにしている。また、図１６に示す支持枠体２１は、ソレノイド２２を左右の第一支持枠部材２１１と第二支持枠部材２１２とで挟着して組付け突起５６により位置決めすると共に、図１７に示すように止めビス５１をソレノイド２２の左右から螺締めすることにより支持枠体２１を一体化するようにしている。このように、支持枠体２１を左右に分割形成することにより、支持枠体２１の組み付け時又はソレノイド２２の取着時に第一支持枠部材２１１及び第二支持枠部材２１２の各軸孔５５に回動ピン４２を貫挿して作動部材２３を挟み込むだけで簡単に軸支することができる。しかも、作動部材２３を支持枠体２１に装着する際に必要とした遊びを設けることもないため、支持枠体２１の幅員を最小限に設定することができて作動部材２３にがたつきがなく正確な動作が可能となり、ひいては可変入賞装置１２の小型化に寄与する。したがって、可変表示装置８が大型化して可変入賞装置１２の設置領域が限られたとしても、狭い設置領域に十分設置することができる。なお、この実施例において、図１５及び図１６に示すように作動部材２３の側面にリブ５４を設けて補強し、不正により開閉部材１９を回動させようとして無理やり操作ピン３１がストッパー３５を押圧したとしても内方に撓み移動することがないため、確実に不正を防止することができる。また、図１７に示すように台板１６に設けた支軸２５の軸受け部と支持枠体２１の位置決め突起５７を嵌入する位置決めボスとを兼用として、可変入賞装置１２の更なる小型化が可能となる。
【００３８】
図１８は電気的駆動源の他の実施例を示し、電気的駆動源として電磁石３８を設けている。この実施例において、作動部材２３を例えば鉄板，鋼板等の磁性材料により形成し、電磁石３８の励磁により作動部材２３を吸引してスライド又は回動させるようにすればよい。この実施例では、作動部材２３は係合部として一対の係合片３９を備え、先端部に操作ピン３１を押し上げる駆動片３９ａを有すると共に逆Ｌ字状のストッパー３５を係合片３９から起立するように屈曲形成している。
【００３９】
また、電気的駆動源は正逆モータ，ロータリーソレノイドであってもよい。電気的駆動源を正逆モータ，ロータリーソレノイドとした場合には、例えば前記実施例に示した作動部材２３の軸支部に電気的駆動源の駆動軸を固着し、駆動源を正逆回転させることにより作動部材２３を揺動させ開閉部材１９を開閉させることができる。なお、正逆モータ，ロータリーソレノイドに偏心カムを設け、偏心カムを作動部材２３の偏心位置に連係させて作動部材２３を揺動させるようにすることも可能である。
【００４０】
なお、実施例において開閉部材１９を常に閉方向に付勢するようにしたが、これに限定されることなく、例えば閉状態では開閉部材１９は閉方向に付勢され、作動部材２３の作用により開放し始め所定位置で自重により開閉部材１９が開方向に傾倒するようにしてもよい。さらに、実施例で開閉部材１９を一対設けて説明したが、必ずしも一対設けなければならないものではなく、一つの開閉部材が作動部材を介して電気的駆動源の駆動力により開閉する可変入賞装置であっても、本発明を適応することができる。
【００４１】
本発明は、実施例において遊技機をパチンコ遊技機として説明したが、遊技球を遊技媒体とする雀球遊技機，アレンジボール式遊技機等の弾球遊技機にも適応可能である。
【図面の簡単な説明】
【００４２】
【図１】パチンコ遊技機の正面図である。
【図２】可変入賞装置の一部切欠いて示す背裏面斜視図である。
【図３】可変入賞装置の分解斜視図である。
【図４】可変入賞装置の側断面図である。
【図５】（イ）〜（ニ）は可変入賞装置の開閉部材の開閉動作を示す背面作用図である。
【図６】（イ）〜（ハ）は可変入賞装置の開閉部材の開閉動作を示す側面作用図である。
【図７】（イ），（ロ）は可変入賞装置の開閉部材の他の実施の開閉動作を示す要部背面図である。
【図８】（イ）〜（ハ）は開閉部材の開閉状態時の操作部の位置関係を示す説明図である。
【図９】通路部と係合部の関係を示す要部背面図である。
【図１０】図９の要部側面図である。
【図１１】可変入賞装置の要部背面図である。
【図１２】（イ），（ロ）は開閉部材の動作の他の実施例を示す作用説明図である。
【図１３】（イ），（ロ）はさらに開閉部材の動作の他の実施例を示す作用説明図である。
【図１４】ストッパーと操作ピンとの関係を示す要部背面図である。
【図１５】支持枠部材の分解斜視図である。
【図１６】支持枠部材の他の実施例の分解斜視図である。
【図１７】図１６の支持枠部材を備えた可変入賞装置の平断面図である。
【図１８】作動部材を備えた電気的駆動源の他の実施例の斜視図である。
【符号の説明】
【００４３】
１２    可変入賞装置
１９    開閉部材
２２    ソレノイド（電気駆動源）
２３    作動部材
２５    支軸
２８    重錘（付勢手段）
３１    操作ピン（操作部，付勢手段）
３４    係合部
３５    ストッパー
３５ａ  阻止面
３９    係合片（係合部）
１００  パチンコ遊技機（遊技機）
Ｃ１    空隙
Ｃ２    間隙
【図１】
2008301905.tif 000003
【図２】
2008301905.tif 000004
【図３】
2008301905.tif 000005
【図４】
2008301905.tif 000006
【図５】
2008301905.tif 000007
【図６】
2008301905.tif 000008
【図７】
2008301905.tif 000009
【図８】
2008301905.tif 000010
【図９】
2008301905.tif 000011
【図１０】
2008301905.tif 000012
【図１１】
2008301905.tif 000013
【図１２】
2008301905.tif 000014
【図１３】
2008301905.tif 000015
【図１４】
2008301905.tif 000016
【図１５】
2008301905.tif 000017
【図１６】
2008301905.tif 000018
【図１７】
2008301905.tif 000019
【図１８】
2008301905.tif 000020